(57)【要約】  本願は、洗浄装置、洗濯機及び洗剤投入方法を提供する。該洗浄装置は、給水部及び吐水部を有する第１の収容部と、少なくとも部分的に第１の収容部内に設けられ、給水部から第１の収容部内に流入する液体の流速を検出する第１の検出部と、第１の検出部に電気的に接続され、給水部の給水時間を制御する制御部とを含む。少なくとも部分的に第１の検出部を第１の収容部内に設けて、第１の収容部を流れる液体の流速を検出し、さらに制御部により第１の収容部の給水部の給水時間を制御して総給水量を制御することにより、洗濯機が給水量を正確に制御して、洗剤を洗濯機の給水に十分に溶解させて、洗濯機の洗濯効果を向上させる。【選択図】図１
2021520956.tif 000002
【特許請求の範囲】
【請求項１】
給水部（１１）及び吐水部（１２）を有する第１の収容部（１０）と、
少なくとも部分的に前記第１の収容部（１０）内に設けられ、前記給水部（１１）から前記第１の収容部（１０）内に流入する液体の流速を検出する第１の検出部（２０）と、
前記第１の検出部（２０）に電気的に接続され、前記給水部（１１）の給水時間を制御する制御部と、を含むことを特徴とする、洗浄装置。
【請求項２】
前記吐水部（１２）は、
前記第１の収容部（１０）のチャンバ壁に開設された第１の吐水口（１２１）と、
前記第１の収容部（１０）のチャンバ壁に開設され、前記第１の吐水口（１２１）に隣接して設けられた第２の吐水口（１２２）と、を含むことを特徴とする、請求項１に記載の洗浄装置。
【請求項３】
一端が前記第２の吐水口（１２２）に連通し、他端が第１の収容部（１０）内の残水を排出するサイホン管（１３）をさらに含むことを特徴とする、請求項２に記載の洗浄装置。
【請求項４】
前記第１の検出部（２０）は、
前記第１の収容部（１０）の内チャンバ壁に設けられ、前記制御部に電気的に接続され、前記給水部（１１）を流れる液体の流速及び／又は硬度を検出する検出プローブ（２１）を含むことを特徴とする、請求項１に記載の洗浄装置。
【請求項５】
給水部（１１）及び吐水部（１２）を有する第１の収容部（１０）と、
少なくとも部分的に前記第１の収容部（１０）内に設けられ、前記給水部（１１）から前記第１の収容部（１０）内に流入する液体の流速及び硬度を検出する第１の検出部（２０）と、
前記第１の検出部（２０）に電気的に接続され、前記給水部（１１）の給水時間を制御し、かつ液体の総給水量を決定する制御部と、
前記制御部に電気的に接続され、前記制御部により制御されて前記吐水部（１２）内に洗剤を投入する投入部（４０）と、を含むことを特徴とする、洗浄装置。
【請求項６】
前記投入部は、洗濯槽に接続され、前記制御部に電気的に接続され、前記洗濯槽内に入れた洗濯物を計量する計量部をさらに含むことを特徴とする、請求項５に記載の洗浄装置。
【請求項７】
洗浄装置を含む洗濯機であって、前記洗浄装置は、請求項１〜６のいずれか一項に記載の洗浄装置であることを特徴とする、洗濯機。
【請求項８】
洗濯槽に接続され、前記制御部に電気的に接続され、前記洗濯槽内に入れた洗濯物を計量する計量部を含むことを特徴とする、請求項７に記載の洗濯機。
【請求項９】
前記制御部に電気的に接続され、前記吐水部（１２）内に洗剤を投入する投入部（４０）をさらに含むことを特徴とする、請求項７に記載の洗濯機。
【請求項１０】
前記投入部（４０）は、
前記第１の収容部（１０）に隣接して設けられ、前記吐水部（１２）に連通し、前記洗剤を貯留する第２の収容部（３０）を含むことを特徴とする、請求項９に記載の洗濯機。
【請求項１１】
前記投入部（４０）は、
第１の端部が前記第２の収容部（３０）に連通し、第２の端部が前記吐水部（１２）に連通する投入管（４１）をさらに含むことを特徴とする、請求項１０に記載の洗濯機。
【請求項１２】
前記投入部（４０）は、
前記第２の収容部（３０）に接続され、前記第２の収容部（３０）内の洗剤の貯留量を検出する第２の検出部（４３）をさらに含むことを特徴とする、請求項１０に記載の洗濯機。
【請求項１３】
前記投入部（４０）は、
前記第２の収容部（３０）に隣接して設けられ、前記制御部に電気的に接続され、前記第２の収容部（３０）内の前記洗剤を前記吐水部に送る投入ポンプ（４２）をさらに含むことを特徴とする、請求項１０に記載の洗濯機。
【請求項１４】
請求項７〜１３のいずれか一項に記載の洗濯機に洗剤を投入する洗濯機の洗剤投入方法であって、
計量部が洗濯物を計量した後、制御部が、洗濯物の重量と、第１の検出部（２０）が検出した液体の流速とに基づいて、給水部（１１）の給水時間を制御するステップＳ１０と、
制御部が、第１の検出部（２０）が検出した液体の硬度と、液体の総給水量と、計量部が計量した洗濯物の重量とに基づいて、吐水部（１２）に所定量の洗剤を投入するように投入ポンプ（４２）を制御するステップＳ２０とを含むことを特徴とする洗濯機の洗剤投入方法。
【請求項１５】
前記ステップＳ１０は、
計量部が洗濯物を計量した後、総給水量を決定するステップＳ１１と、
制御部が、第１の収容部（１０）の容積と、液体が前記第１の収容部（１０）に満ちる時間とに基づいて、給水速度を決定するステップＳ１２と、
制御部が、総給水量及び給水速度に基づいて洗濯槽に必要な総給水時間を決定し、かつ前記給水部（１１）の開放時間が前記洗濯槽に必要な総給水時間に等しくなるまで前記給水部（１１）の開放時間を制御するステップＳ１３と、を含むことを特徴とする、請求項１４に記載の洗濯機の洗剤投入方法。
【発明の詳細な説明】
【技術分野】
【０００１】
本願は、洗濯機の技術分野に関し、特に洗浄装置、洗濯機及び洗剤投入方法に関する。
本願は、２０１８年７月２０日に出願され、出願番号が２０１８１０８０４４４１．５であり、名称「洗浄装置、洗濯機及び洗剤投入方法」である中国特許出願の優先権を主張するものであり、その全ての内容は参照により本願に組み込まれるものとする。
【背景技術】
【０００２】
従来の洗濯機は、洗濯機の給水量を正確に制御することができず、給水の水質硬度を検出することもできない。従来の洗濯機の洗剤自動投入部は、給水量及び水の硬度の洗剤投入量に対する影響を考慮せず、衣類の重量に基づいて洗剤の投入量を簡単に換算して自動的に投入することしかできず、このため、洗濯機の洗濯効果が低いという問題を引き起こす。
【発明の概要】
【発明が解決しようとする課題】
【０００３】
本発明の主な目的は、従来技術における、洗濯機の洗濯効果が低いという問題を解決するために、洗浄装置、洗濯機及び洗剤投入方法を提供することである。
【課題を解決するための手段】
【０００４】
上記目的を達成するために、本願の一態様に係る洗浄装置は、給水部及び吐水部を有する第１の収容部と、少なくとも部分的に第１の収容部内に設けられ、給水部から第１の収容部内に流入する液体の流速を検出する第１の検出部と、第１の検出部に電気的に接続され、給水部の給水時間を制御する制御部とを含む。
【０００５】
好ましくは、吐水部は、第１の収容部のチャンバ壁に開設された第１の吐水口と、第１の収容部のチャンバ壁に開設され、第１の吐水口に隣接して設けられた第２の吐水口とを含む。
【０００６】
好ましくは、洗浄装置は、一端が第２の吐水口に連通し、他端が第１の収容部内の残水を排出するサイホン管をさらに含む。
【０００７】
好ましくは、第１の検出部は、第１の収容部の内チャンバ壁に設けられ、制御部に電気的に接続され、給水部を流れる液体の流速及び／又は硬度を検出する検出プローブを含む。
【０００８】
本願の別の態様に係る洗浄装置は、給水部及び吐水部を有する第１の収容部と、少なくとも部分的に第１の収容部内に設けられ、給水部から第１の収容部内に流入する液体の流速及び硬度を検出する第１の検出部と、第１の検出部に電気的に接続され、給水部の給水時間を制御し、かつ液体の総給水量を決定する制御部と、制御部に電気的に接続され、制御部により制御されて吐水部内に洗剤を投入する投入部とを含む。
【０００９】
好ましくは、投入部は、洗濯槽に接続され、制御部に電気的に接続され、洗濯槽内に入れた洗濯物を計量する計量部をさらに含む。
【００１０】
本願の別の態様に係る、洗浄装置を含む洗濯機は、洗浄装置が上記洗浄装置である。
【００１１】
好ましくは、洗濯機は、洗濯槽に接続され、制御部に電気的に接続され、洗濯槽内に入れた洗濯物を計量する計量部を含む。
【００１２】
好ましくは、洗濯機は、制御部に電気的に接続され、吐水部内に洗剤を投入する投入部をさらに含む。
【００１３】
好ましくは、投入部は、第１の収容部に隣接して設けられ、吐水部に連通し、洗剤を貯留する第２の収容部を含む。
【００１４】
好ましくは、投入部は、第１の端部が第２の収容部に連通し、第２の端部が吐水部に連通する投入管をさらに含む。
【００１５】
好ましくは、投入部は、第２の収容部に接続され、第２の収容部内の洗剤の貯留量を検出する第２の検出部をさらに含む。
【００１６】
好ましくは、投入部は、第２の収容部に隣接して設けられ、制御部に電気的に接続され、第２の収容部内の洗剤を吐水部に送る投入ポンプをさらに含む。
【００１７】
本願の別の態様に係る洗濯機の洗剤投入方法は、上記洗濯機に洗剤を投入するために用いられ、計量部が洗濯物を計量した後、制御部が、洗濯物の重量と、第１の検出部が検出した液体の流速とに基づいて、給水部の給水時間を制御するステップＳ１０と、制御部が、第１の検出部が検出した液体の硬度と、液体の総給水量と、計量部が計量した洗濯物の重量とに基づいて、吐水部に所定量の洗剤を投入するように投入ポンプを制御するステップＳ２０とを含む。
【００１８】
好ましくは、ステップＳ１０は、計量部が洗濯物を計量した後、総給水量を決定するステップＳ１１と、制御部が、第１の収容部の容積と、液体が第１の収容部に満ちる時間とに基づいて、給水速度を決定するステップＳ１２と、制御部が、総給水量及び給水速度に基づいて洗濯槽に必要な総給水時間を決定し、かつ給水部の開放時間が洗濯槽に必要な総給水時間に等しくなるまで給水部の開放時間を制御するステップＳ１３とを含む。
【発明の効果】
【００１９】
本願の技術手段を適用して、少なくとも部分的に第１の検出部を第１の収容部内に設けて、第１の収容部を流れる液体の流速を検出し、さらに制御部により第１の収容部の給水部の給水時間を制御して総給水量を制御することにより、洗濯機が給水量を正確に制御して、洗剤を洗濯機の給水に十分に溶解させて、洗濯機の洗濯効果を向上させる。
【図面の簡単な説明】
【００２０】
本願の一部を構成する図面は、本願をさらに理解するためのものであり、本願の例示的な実施例及びそれらの説明は、本願を解釈するためのものであるが、本願を不当に限定するものではない。
【図１】本願に係る洗浄装置の実施例の断面構造の概略図を示す。
【図２】本願に係る洗濯機の実施例１の概略構成図を示す。
【図３】本願に係る洗濯機の実施例２の概略構成図を示す。
【図４】本願に係る洗濯機の動作原理の第１のフローチャートを示す。
【図５】本願に係る洗濯機の動作原理の第２のフローチャートを示す。
【発明を実施するための形態】
【００２１】
なお、本願の実施例及び実施例の特徴は、矛盾しない限り、互いに組み合わせることができる。以下、図面を参照しながら実施例を組み合わせて本願を詳細に説明する。
【００２２】
なお、ここで用いられる用語は、具体的な実施形態を説明するためのものに過ぎず、本願の例示的な実施形態を限定する意図ではない。ここで用いられるように、文脈で別途の明確な説明がない限り、単数形式は複数形式も含み、また、理解すべきこととして、本明細書において用語「含有」及び／又は「含む」を用いる場合、特徴、ステップ、操作、部品、組立体及び／又はそれらの組み合わせが存在することを意味する。
【００２３】
なお、本願の明細書、特許請求の範囲及び図面に用いられる「第１」、「第２」などの用語は、類似する対象を区別するためのもので、特定の順序又は前後順を限定するものではない。理解すべきこととして、このように使用される用語は、ここで説明する本願の実施形態を図面に示すか又は説明した順以外の順で実現できるように、場合によって取り換えることができる。また、「含む」、「有する」及びそれらの任意の変形用語は、非排他的に含むことをカバーするものであり、例えば、一連のステップ又はユニットを含むプロセス、方法、システム、製品又は機器は、それらのステップ又はユニットを明確に例示したものに限定されず、明確に例示していないか又はこれらのプロセス、方法、製品又は機器に固有の他のステップ又はユニットを含んでもよいことを表す。
【００２４】
説明の便宜上、ここで「…の上」、「…の上方」、「…の上面」、「上側の」などのような空間的相対用語は、図面に示した１つの装置又は特徴と他の装置又は特徴との空間位置関係を説明するために用いられる。理解すべきこととして、空間的相対用語は、図中に説明した部品の方位以外、使用又は操作中の異なる方位も含む。例えば、図面中の部品が逆転されれば、「他の部品又は構造の上方」又は「他の部品又は構造の上」と説明された部品は、「他の部品又は構造の下方」又は「他の部品又は構造の下」に位置付けられる。したがって、例示的な用語「…の上方」は、「…の上方」及び「…の下方」の２種類の方位を含むことができる。該部品は、他の異なる方式で位置付けられてもよく（９０度回転又は他の方位に位置する）、これに応じて、ここで用いられた空間的相対説明について解釈を行う。
【００２５】
以下、図面を参照しながら本願の例示的な実施形態をより詳細に説明する。しかし、これらの例示的な実施形態は、複数の異なる形態で実施されてよく、ここで説明した実施形態に限定されるものではない。なお、これらの実施形態を提供することは、本願の開示を徹底的かつ完全にし、かつこれらの例示的な実施形態の構想を当業者に十分に伝達するために用いられ、図面において、明らかのために、層及び領域の厚みを拡大する可能性があり、かつ同じ部品に対し同じ符号を用いるため、それらの説明を省略する。
【００２６】
図１〜図５に示すように、本願の実施例によれば、洗浄装置が提供される。
【００２７】
具体的には、図１に示すように、該洗浄装置は、給水部１１及び吐水部１２を有する第１の収容部１０と、少なくとも部分的に第１の収容部１０内に設けられ、給水部１１から第１の収容部１０内に流入する液体の流速を検出する第１の検出部２０と、第１の検出部２０に電気的に接続され、給水部１１の開閉を制御する制御部とを含む。
【００２８】
本実施例では、少なくとも部分的に第１の検出部を第１の収容部内に設けて、第１の収容部を流れる液体の流速を検出し、さらに制御部により第１の収容部の給水部の給水時間を制御して総給水量を制御することにより、洗濯機が給水量を正確に制御して、洗剤を洗濯機の給水に十分に溶解させて、洗濯機の洗濯効果を向上させる。
【００２９】
本実施例では、吐水部１２は、第１の収容部１０のチャンバ壁に開設された第１の吐水口１２１と、第１の収容部１０のチャンバ壁に開設され、第１の吐水口１２１に隣接して設けられた第２の吐水口１２２とを含む。第１の吐水口１２１は、給水部１１から入った液体を洗濯槽内に導入するためのものであり、給水が終了すると、給水部１１が閉じられ、第２の吐水口は、第１の収容部内に残った液体を導出するためのものであり、このように設けることにより、第１の収容部内の液体が十分に排出されて洗濯槽内に入って、洗濯機が給水量を正確に制御する。
【００３０】
好ましくは、洗浄装置は、一端が第２の吐水口１２２に連通し、他端が第１の収容部１０内の残水を排出するサイホン管１３をさらに含む。このように設けることにより、給水が終了すると、第１の収容部内に残った液体がサイホン管の一端を通って他端に流入し、さらに洗濯槽内に入って、洗濯機が給水量を正確に制御する。
【００３１】
本実施例では、第１の検出部２０は、第１の収容部１０の内チャンバ壁に設けられ、制御部に電気的に接続され、給水部１１を流れる液体の流速又は硬度を検出し、当然のことながら、給水部１１を流れる液体の流速及び硬度を同時に検出してもよい検出プローブ２１を含む。このように設けることにより、検出プローブが検出した情報を制御部に伝送して、制御部が検出情報に基づいて給水部１１を開閉する。
【００３２】
本実施例では、該洗浄装置は、給水部１１及び吐水部１２を有する第１の収容部１０と、少なくとも部分的に第１の収容部１０内に設けられ、給水部１１から第１の収容部１０内に流入する液体の流速及び硬度を検出する第１の検出部２０と、第１の検出部２０に電気的に接続され、給水部１１の給水時間を制御し、かつ液体の総給水量を決定する制御部と、制御部に電気的に接続され、制御部により制御されて吐水部１２内に洗剤を投入する投入部４０とを含む。制御部は、第１の検出部２０が検出した液体の硬度と、液体の総給水量とに基づいて、投入ポンプ４２を制御して、吐水部１２に所定量の洗剤を投入する。
【００３３】
好ましくは、投入部は、洗濯槽に接続され、制御部に電気的に接続され、洗濯槽内に入れた洗濯物を計量する計量部をさらに含む。計量部により洗濯物を計量し、必要な総給水量を予備的に算出する。制御部は、第１の検出部２０が検出した液体の硬度と、液体の総給水量と、計量部が計量した洗濯物の重量とに基づいて、投入ポンプ４２を制御して、吐水部１２に所定量の洗剤を投入する。
【００３４】
上記実施例に係る洗浄装置は、洗濯機の技術分野に用いられてもよく、すなわち、本願の別の態様によれば、洗濯機が提供される。該洗濯機は、洗浄装置を含み、洗浄装置が上記実施例に係る洗浄装置である。
【００３５】
本実施例では、洗濯機は、洗濯槽に接続され、制御部に電気的に接続され、洗濯槽内に入れた洗濯物を計量する計量部を含む。このように設けることにより、計量部が洗濯物を計量した後、得られた情報を制御部にリアルタイムにフィードバックし、さらに制御部が洗濯物の重量に基づいて給水部１１の給水量を制御する。
【００３６】
図２及び図３に示すように、洗濯機は、制御部に電気的に接続され、吐水部１２内に洗剤を投入する投入部４０をさらに含む。制御部は、洗濯物の重量、総給水量及び水質硬度に基づいて、必要な量の洗剤を洗濯槽内に正確に投入することができる。
【００３７】
本実施例では、投入部４０は、第１の収容部１０に隣接して設けられ、吐水部１２に連通し、洗剤を貯留する第２の収容部３０を含む。このように設けることにより、第２の収容部３０が貯留した洗剤を第１の収容部１０内に送って、洗剤が第１の収容部１０内の液体に十分に溶解して洗濯槽内に流入する。
【００３８】
また、投入部４０は、第１の端部が第２の収容部３０に連通し、第２の端部が吐水部１２に連通する投入管４１をさらに含む。第２の収容部は、投入管４１を介して洗剤を吐水部に送る。
【００３９】
本実施例では、投入部４０は、第２の収容部３０に接続され、第２の収容部３０内の洗剤の貯留量を検出する第２の検出部４３をさらに含む。第２の検出部４３は、第２の収容部３０に貯留された洗剤を検出し、第２の収容部３０内の洗剤が不足して所定の値よりも低い場合、制御部は、制御部に接続された警告灯により、洗剤を添加するようにユーザに注意を促す。
【００４０】
本実施例では、投入部４０は、第２の収容部３０に隣接して設けられ、制御部に電気的に接続され、第２の収容部３０内の洗剤を吐水部１２に送る投入ポンプ４２をさらに含む。このように設けることにより、制御部は、洗濯物の重量、総給水量及び水質硬度に基づいて、投入ポンプを制御して、第２の収容部３０に貯留された洗剤を設定された需要率に応じて吐水部１２内に投入する。
【００４１】
本願に係る洗濯機の洗剤投入方法は、計量部が洗濯物を計量した後、制御部が、洗濯物の重量と、第１の検出部２０が検出した液体の流速とに基づいて、給水部１１の給水時間を制御するステップＳ１０と、制御部が、第１の検出部２０が検出した液体の硬度と、液体の総給水量と、計量部が計量した洗濯物の重量とに基づいて、投入ポンプ４２を制御して、吐水部１２に所定量の洗剤を投入するステップＳ２０とを含む。ステップＳ１０は、計量部が洗濯物を計量した後、総給水量を決定するステップＳ１１と、制御部が、第１の収容部１０の容積と、液体が第１の収容部１０に満ちる時間とに基づいて、給水速度を決定するステップＳ１２と、制御部が、総給水量及び給水速度に基づいて洗濯槽に必要な総給水時間を決定し、かつ給水部１１の開放時間が洗濯槽に必要な総給水時間に等しくなるまで給水部１１の開放時間を制御するステップＳ１３とを含む。
【００４２】
本願は、制御部により給水部１１の総給水時間を制御して総給水量を正確に制御する。第１の検出部は、水道水の硬度を検出することにより、洗剤の投入量をより正確に制御する。
【００４３】
従来技術では、洗濯槽内の液位の検出技術は、衣類の吸水による誤差のため、給水量を正確に制御できなくなるという問題を解消することができず、また、従来の洗濯機は、水道水の水質硬度を考慮せず、水道水中のイオン（Ｃａ、Ｍｇ、Ｃｌなど）による洗剤の有効成分の消費を考慮することができないため、洗浄効果を達成することができず、本願の技術手段は、衣類の重量、総給水量及び水質硬度などの物理量を正確に換算して洗剤の投入量を制御することにより、洗濯効果を向上させ、かつ同じ洗濯効果で洗剤使用量を減少させて、洗濯コストを低減し、排出廃水による環境汚染を低減することができる。
【００４４】
図２に示すように、洗濯機は、給水検出モジュール及び洗剤投入モジュールを含む。
【００４５】
図１に示すように、洗浄装置は、給水部１１の給水管と、第１の検出部２０の検出プローブ２１と、第１の吐水口１２１での給水下流通路と、サイホン管１３と、第１の収容部１０とを含み、給水時に、水道水を給水管から第１の収容部１０に注入し、制御部が給水を制御して第１の収容部１０に満ちり、液面が検出プローブ２１に接触すると計時し始め、接触時間がｔであり、第１の収容部１０の容積が一定であるため、給水流速ｖを迅速に算出することができ、総用水量Ｕを算出し、Ｕ／ｖ＝Ｔが総給水時間であり、総時間Ｔを制御することにより総給水量Ｕの制御を実現し、また、検出プローブ２１は、水に接触して、水があると検出すると同時に水質硬度を検出することができ、次回の流量検出精度に影響を与えないように、給水終了時に、第１の収容部１０内に残った水をサイホン管１３によって排出し、給水過程全体において、水が常にサイホン管１３を通過し、サイホン管１３の下流が洗濯槽に接続されるが、総給水量に影響を与えない。
【００４６】
図３に示すように、洗濯機は、第２の収容部３０と、投入ポンプ４２と、第２の検出部４３と、投入管４１とをさらに含み、洗濯物の重量、総給水量、水質硬度といういくつかの物理量に基づいて、スマートアルゴリズムによって洗剤の投入量を決定し、投入ポンプ４２により第２の収容部３０から洗剤を吸い出して投入管４１に投入し、投入管４１が洗浄装置の給水部１１又は吐水部１２の通路に接続されるため、給水の水流により洗剤を投入して送ることを実現し、第２の検出部４３は、第２の収容部３０内の洗剤の液面高さが最低液面閾値に達したか否かを検出し、第２の収容部３０内の洗剤が不足すると、機械全体のコントローラは、検出して、洗剤を添加する必要があることをユーザに通知する。
【００４７】
図４及び図５に示すように、洗濯物を計量部で計量した情報により、総給水量を制御し、総給水量が給水流速及び給水時間によって決められ、洗濯物の重量、総給水量及び水質硬度を取得した後、スマートアルゴリズムによって洗濯機に最終的に必要な洗剤投入量を決定する。
【００４８】
上記以外に、本明細書で言及される「一実施例」、「別の実施例」、「実施例」などは、該実施例を参照して説明される具体的な特徴、構成又は特性が、本願の一般的に説明される少なくとも１つの実施例に含まれることを意味する。明細書において複数の箇所に同様な表現が現われるものは、必ずしも同一の実施例ではない。さらに、いずれかの実施例を参照して具体的な特徴、構造又は特性を説明する場合、他の実施例を参照してこのような特徴、構造又は特性を実現することも本願の範囲内にあると主張されたい。
【００４９】
上記実施例において、各実施例の説明についてはそれぞれ重点を置き、ある実施例で詳しく説明していない部分については、他の実施例の関連部分の説明を参照することができる。
【００５０】
以上は本願の好ましい実施例に過ぎず、本願を限定するものではなく、当業者であれば、本願に様々な変更及び変化を行うことができる。本願の精神及び原則内に行われるいかなる修正、同等置換、改善などは、いずれも本願の保護範囲に含まれるべきである。
【符号の説明】
【００５１】
１０  第１の収容部
１１  給水部
１２  吐水部
１２１  第１の吐水口
１２２  第２の吐水口
１３  サイホン管
２０  第１の検出部
２１  検出プローブ
３０  第２の収容部
４０  投入部
４１  投入管
４２  投入ポンプ
４３  第２の検出部
【図１】
2021520956.tif 000003
【図２】
2021520956.tif 000004
【図３】
2021520956.tif 000005
【図４】
2021520956.tif 000006
【図５】
2021520956.tif 000007
【国際調査報告】
2021520956.tif 000008
2021520956.tif 000009
2021520956.tif 000010
2021520956.tif 000011
2021520956.tif 000012
2021520956.tif 000013